(57)【要約】【課題】本発明は、ショルダーストラップに繋がるバックパネルを、バックパネルの面全体で広範囲に固定し、ショルダーストラップの位置の安定性を高めたリュックサックを提供することを目的とする。【解決手段】本発明のリュックサック１のショルダーストラップ３は、１条のガイドストラップ５に沿って上下に可動するバックパネル６と一体に設けられ、バックパネル６をリュックサック１の背面に固着可能とする固定具を備え、リュックサック１の背面側部に設けられた１対のフラップ２によって、バックパネル６をさらに固着可能とする固定具を備えることを特徴とする。【選択図】図２
2020025785.tif 000002
【特許請求の範囲】
【請求項１】
使用者の体型に合わせてショルダーストラップの位置を上下に調節が可能なリュックサックにおいて、
ショルダーストラップは、１条のガイドストラップに沿って上下に可動するバックパネルと一体に設けられ、前記バックパネルをリュックサックの背面に固着可能とする固定具を備え、前記リュックサックの背面側部に設けられた１対のフラップによって、前記バックパネルをさらに固着可能とする固定具を備えることを特徴とするリュックサック。
【発明の詳細な説明】
【技術分野】
【０００１】
本発明は、リュックサックに関するものであり、詳しくは、使用者の体型に合わせてショルダーストラップの位置の調節が可能なリュックサックに関するものである。
【背景技術】
【０００２】
大型のリュックサックにおいては、リュックサックの荷重を使用者の腰の部分で受け止めることで、使用者の負担を軽減する。そのため、使用者の体型に合わせるショルダーストラップの調節手段が求められる。調節手段としては、ショルダーストラップの長さを調節するよりも、ショルダーストラップの取り付け位置が調節できる方が、使用者の肩にかかる負担が少ない。そこで、特許文献１のように、ショルダーストラップに繋がるバックパネルの位置を、面ファスナーを有するガイドストラップで固定することで、ショルダーストラップの位置を上下に調節できる機構が開発され、開示されている。
【先行技術文献】
【特許文献】
【０００３】
【特許文献１】特開平０８−０８９３４２号公報
【発明の概要】
【発明が解決しようとする課題】
【０００４】
ショルダーストラップに繋がるバックパネルの位置を、面ファスナーを有するガイドストラップで固定することで、ショルダーストラップの位置を上下に調節できる機構においては、バックパネルの固定が緩くなりやすく、ショルダーストラップの位置が安定しないという問題がある。
【０００５】
そこで、本発明は、ショルダーストラップに繋がるバックパネルを、バックパネルの面全体で広範囲に固定し、ショルダーストラップの位置の安定性を高めたリュックサックを提供することを目的とする。
【課題を解決するための手段】
【０００６】
すなわち、本発明は前記した目的を達成せんとするもので、本発明のリュックサックは、使用者の体型に合わせてショルダーストラップの位置を上下に調節が可能なリュックサックにおいて、ショルダーストラップは、１条のガイドストラップに沿って上下に可動するバックパネルと一体に設けられ、前記バックパネルをリュックサックの背面に固着可能とする固定具を備え、前記リュックサックの背面側部に設けられた１対のフラップによって、前記バックパネルをさらに固着可能とする固定具を備えることを特徴とする。
【発明の効果】
【０００７】
本発明のリュックサックは、ショルダーストラップに繋がる幅広のバックパネルを上下に可動としつつ、リュックサックの背面およびフラップに備えた固定具によって、バックパネルはリュックサックと対向する面のみならず、フラップと対向する面においても広範囲で係合され、適正な上下位置で固定される構造である。そのため、バックパネルの位置が安定し、ひいてはバックパネルと一体であるショルダーストラップの位置も安定し、使用者の負担を軽減することができる。
【図面の簡単な説明】
【０００８】
【図１】本発明のリュックサックを背中に当接する側から見た斜視図である。
【図２】本発明のリュックサックのフラップを開いた状態の背面図である。
【図３】本発明のリュックサックのガイドストラップを外した状態の背面図である。
【図４】本発明のリュックサックの部分断面図である。
【図５】本発明のリュックサックのバックパネルを上方に取り付けた背面図である。
【図６】本発明のリュックサックのバックパネルを上方に取り付けた状態でフラップを閉じた背面図である。
【発明を実施するための形態】
【０００９】
以下、図面を参照しながら、本発明について実施するための形態を説明する。
【実施例１】
【００１０】
図１は、本発明のリュックサック１を、背中に当接する側から見た斜視図である。また、図２は、本発明のリュックサック１のフラップ２を開いた状態の背面図である。リュックサック１は、使用者の体型に合わせてショルダーストラップ３の位置を上下に調節が可能な構造である。ショルダーストラップ３は、ショルダーパッド４を介し、１条のガイドストラップ５に沿って上下に可動するバックパネル６と一体に設けられる。バックパネル６の形状は方形とし、ショルダーパッド４は、その外端がバックパネル６の左右の辺の延長線上に一致するように配される。本実施例のバックパネル６は、左右の辺が短辺となる長方形状であるが、これに限定されるものではない。
【００１１】
リュックサック１は、バックパネル６をリュックサック１の背面に固着可能とする固定具を備える。本実施例においては、固着可能とする固定具として、ループ状の面とフック状の面を係合させる面ファスナーを用いるが、他の固定具であっても良い。
【００１２】
図３は、本発明のリュックサック１のガイドストラップ５を外した状態の背面図であり、バックパネル６は上辺を軸として上方に開いている状態を示す。本実施例のガイドストラップ５は、一方の端部がリュックサック１の本体背面に縫い付けられ、縫い付けられた端部には、バックパネル６と対向する面に、長方形状に面ファスナー７が設けられる。ガイドストラップ５は、他方の自由な端部の、面ファスナー７と同じ面に、面ファスナー７よりも縦長な長方形状に面ファスナー８が設けられる。面ファスナー７はループ状であり、面ファスナー８はフック状である。
【００１３】
バックパネル６は、閉じたときにリュックサック１と対向する面に面ファスナー９が設けられ、リュックサック１の背面の面ファスナー１０と係合する。面ファスナー９はフック状であり、面ファスナー１０はループ状である。
【００１４】
図４は、本発明のリュックサック１のＡ−Ａ線部分断面図である。便宜上、閉じた状態のフラップ２を含めている。バックパネル６は、リュックサック１の本体と対向する面に、ガイドストラップ５を通すストラップホール１１が設けられる。また、リュックサック１の上方にも、ガイドストラップ５を通すストラップホール１２が設けられる。ガイドストラップ５の自由な端部は、ストラップホール１１およびストラップホール１２の順に通され、面ファスナー８が、バックパネル６の使用者の背中と対向する面に設けられた面ファスナー１３と係合する。面ファスナー１３はループ状である。
【００１５】
図５は、バックパネル６を上方に取り付けた状態の背面図である。この状態でガイドストラップ５を閉じたとき、面ファスナー８は、面ファスナー１３のみならず、面ファスナー７とも係合する。
【００１６】
図２および図３に示すとおり、面ファスナー１３はバックパネル６に幅広に設けられるが、面ファスナー８と係合する中間部１３ａは、ガイドストラップ５が左右にずれた位置で係合しないように、ガイドストラップ５が係合する位置の目安を設けることが好ましい。一例としては、中間部１３ａに凹状の段差が設けることが挙げられる。ガイドストラップ５が係合する位置の目安としては、段差に限られるものではなく、縫い目や線などの表示によって、ガイドストラップ５が左右にずれた位置で係合しないように規制されている構造としてもよい。また、中間部１３ａは、ショルダーパッド４に設けられた面ファスナー１４と一体に設けられることが好ましい。面ファスナー１３の中間部１３ａおよび面ファスナー１４を長く設けることによって、ショルダーストラップ３の上下の位置の調節範囲を大きくすることができる。
【００１７】
本発明のリュックサック１は、リュックサック１の背面側部に設けられた１対のフラップ２によって、前記バックパネルをさらに固着可能とする固定具を備える。具体的には、面ファスナー１３の左右に設けられた側部１３ｂは、リュックサック１の背面側部に設けられた１対のフラップ２に設けられた面ファスナー１５と係合する。面ファスナー１５はフック状である。面ファスナー１５は、バックパネル６を上方に取り付けた状態においては、リュックサック１に設けられた面ファスナー１６とも係合する。面ファスナー１６は、ガイドストラップ５と面ファスナー１０の間に設けられ、ループ状である。
【００１８】
図６は、バックパネル６を上方に取り付けた状態でフラップ２を閉じた背面図である。本発明のリュックサック１は、ショルダーストラップ３に繋がる幅広のバックパネル６を上下に可動としつつ、リュックサック１の背面およびフラップ２に備えた面ファスナーによって、バックパネル６はリュックサック１と対向する面のみならず、フラップ２と対向する面においても広範囲で係合され、適正な上下位置で固定される構造である。そのため、バックパネル６の位置が安定し、ひいてはバックパネル６と一体であるショルダーストラップ３の位置も安定し、使用者の負担を軽減することができる。
【００１９】
なお、フラップ２は、使用者の背中に当接する部分であるため、通気性を有する弾性素材を内包しつつ、メッシュ状の布地で覆われていることが好ましい。また、使用者の肩部が当接するショルダーパッド４は、使用者の負担を軽減するための弾性素材が内包されることが好ましい。さらに、ショルダーストラップ３およびショルダーパッド４は、使用者と当接する部分にメッシュ状の布地が配されていることが好ましい。
【符号の説明】
【００２０】
１…リュックサック
２…フラップ
３…ショルダーストラップ
４…ショルダーパッド
５…ガイドストラップ
６…バックパネル
７…面ファスナー
８…面ファスナー
９…面ファスナー
１０…面ファスナー
１１…ストラップホール
１２…ストラップホール
１３…面ファスナー
１３ａ…中間部
１３ｂ…側部
１４…面ファスナー
１５…面ファスナー
１６…面ファスナー
【図１】
2020025785.tif 000003
【図２】
2020025785.tif 000004
【図３】
2020025785.tif 000005
【図４】
2020025785.tif 000006
【図５】
2020025785.tif 000007
【図６】
2020025785.tif 000008